(57)【要約】      （修正有）【課題】印刷物の印刷濃度と彩度に優れた特にインクジェット印刷用に適した油中水（Ｗ／Ｏ）型エマルションインキの提供。【解決手段】水相中に水溶性染料と水溶性の包接化合物を含むことを特徴とする油中水（Ｗ／Ｏ）型エマルションインキ。水溶性の包接化合物は、シクロデキストリン類であることが好ましく、α−シクロデキストリン、β−シクロデキストリン及びγ−シクロデキストリンがより好ましい。水溶性の包接化合物は、水溶性染料に対する質量比で０．０２以上配合する。【選択図】なし【特許請求の範囲】
【請求項１】
水相中に水溶性染料と水溶性の包接化合物を含むことを特徴とする油中水（Ｗ／Ｏ）型エマルションインキ。
【請求項２】
前記水溶性の包接化合物が、シクロデキストリン類であることを特徴とする、請求項１に記載の油中水（Ｗ／Ｏ）型エマルションインキ。
【請求項３】
前記水溶性の包接化合物を、前記水溶性染料に対する質量比で０．０２以上含有することを特徴とする、請求項１又は２に記載の油中水（Ｗ／Ｏ）型エマルションインキ。
【発明の詳細な説明】
【技術分野】
【０００１】
本発明は、水相中に染料を含む油中水（Ｗ／Ｏ）型エマルションインキであって、印刷物の印刷濃度と彩度に優れた油中水（Ｗ／Ｏ）型エマルションインキに関する。
【背景技術】
【０００２】
インクジェット印刷は、微細なノズルからインキ滴を吐出して、非接触で印刷するのが特徴であり、インキ滴の微細化、印刷物の高速化、大判化を目指して各社がインクジェット用インキの開発を行っている。
【０００３】
インクジェット用インキとしては、パーソナル及び事務用途では、一般に水性インキが用いられる。水性インキは、印刷用紙繊維の吸水性が高いために印刷濃度が高く、且つ印刷物裏側から見た印刷濃度である裏抜けが少なくなる。その反面、印刷用紙は製紙される時に圧力が掛かった状態で乾燥しているために、水が付着すると印刷用紙繊維間の水素結合が切られて紙カールが発生する。この紙カールは、断裁された枚葉紙を用いる場合に顕著であり、インキ滴の位置精度や用紙搬送に影響を及ぼす。特に高速印刷を目指すためには、紙カールを無くすことが必要であった。
【０００４】
紙カールを無くす手法としては、インキ中の水配合量を少なくする、または無くすことが挙げられる。したがって、油性インキを用いれば、紙カールが発生することもなく、高速印刷にも適合する。
【０００５】
ラインヘッド型インクジェット方式を採用したビジネスプリンタは、ヘッドが固定されているので高速で大量印刷が可能であり、低価格である点からも注目されている。この高速印刷用インクジェット印刷機には、通常、油性インキが使われるが、他方式のプリンタと比較して、印刷した際に印刷物裏側にインキが浸透するため、得られる印刷物は、印刷濃度が低く、裏抜けの多いものになる。
【０００６】
この問題の解決方法の一つとして、油性インキに水を乳化して油中水（Ｗ／Ｏ）型エマルションインキにする方法がある。油中水（Ｗ／Ｏ）型エマルションインキは、油性インキと水性インキの両方の特質を備え、油性インキに比べ、印刷濃度が高く、裏抜けが低減し、水性インキに比べ、カールを抑制できる点に特徴し、高速搬送性と印刷性能とを両立したインキといえる。
【０００７】
油中水（Ｗ／Ｏ）型エマルションインキでは、外相である油相に色材を含有させても良いが、内相である水相に色材を含有させる方が望ましい。また、油中水（Ｗ／Ｏ）型エマルションインキの水相に含有させる色材としては、インキの貯蔵安定性や吐出性の面から、染料を用いることが望ましい。
【０００８】
しかし、水相中に水溶性染料を含有する油中水（Ｗ／Ｏ）型エマルションインキは、水性インキに比べて、印刷物の印刷濃度が低く、彩度も染料の凝集した色に変化するという点で技術的課題があった。この課題に関し、本発明者等は、水相にアミノアルコールやアミン系分散剤を配合することで、油中水（Ｗ／Ｏ）型エマルションインキの印刷物の印刷濃度を向上できることを報告しているが（特許文献１及び特願２０１１−０６９８９３号参照）、印刷物の彩度の改善は十分とは言えなかった。
【０００９】
一方、水性インキで色材として染料を用いた場合、顔料に比べて耐候性及び耐水性に劣ることは知られているが、シクロデキストリンのような染料を包接する化合物を特定の染料とともに用いることで、耐水性を向上させることが既に報告されている（特許文献２参照）。しかし、この報告は、水性インキに関するものであって、油中水（Ｗ／Ｏ）型エマルションインキに関するものではなく、また、印刷物の彩度の問題やその改善効果については何ら言及していない。
【先行技術文献】
【特許文献】
【００１０】
【特許文献１】特開２０１１−７４１９５号公報
【特許文献２】特開２００５−２３９８２２号公報
【発明の開示】
【発明が解決しようとする課題】
【００１１】
本発明の目的は、油中水（Ｗ／Ｏ）型エマルションインキであって、印刷物の印刷濃度だけでなく彩度にも優れたものを提供することにある。
【課題を解決するための手段】
【００１２】
本発明者等は、上記目的の下に鋭意研究した結果、水相と油相を備えてなる油中水（Ｗ／Ｏ）型エマルションインキにおいて、該水相中に水溶性染料と水溶性の包接化合物を共存させることにより、印刷物の印刷濃度と彩度の両者に優れた油中水（Ｗ／Ｏ）型エマルションインキが得られることを見出し、本発明を完成するに至った。
【００１３】
すなわち、本発明によれば、水相中に水溶性染料と水溶性の包接化合物を含むことを特徴とする油中水（Ｗ／Ｏ）型エマルションインキが提供される。
本発明の油中水（Ｗ／Ｏ）型エマルションインキは、インクジェット用途に好適に使用することができる。
【発明の効果】
【００１４】
本発明によれば、油中水（Ｗ／Ｏ）型エマルションの水相中に包接化合物の存在下に色材として水溶性染料を含有させることとしたので、印刷濃度が高く、水性インキと同等の彩度を備えた油中水（Ｗ／Ｏ）型エマルションインキが得られる。また、本発明のエマルションインキは、上記包接化合物を使用したことにより、印刷物の耐候性及び耐水性にも優れる。
【発明を実施するための最良の形態】
【００１５】
以下、本発明を更に詳細に説明する。
本発明の油中水（Ｗ／Ｏ）型エマルションインキは、油相及び水相を混合し、該油相中に該水相を微細な粒子として分散させることによって得られる。
【００１６】
水相は、水、水溶性染料及び水溶性の包接化合物から主として構成されるが、必要に応じて、金属塩、電解質、保湿剤、水溶性高分子、水中油（Ｏ／Ｗ）型樹脂エマルション、防黴剤、防腐剤、ｐＨ調整剤、凍結防止剤等のその他の成分を含有してもよい。
【００１７】
水相に含有される水としては、特に限定されず、例えば、イオン交換水、蒸留水等を用いることができる。
【００１８】
水溶性染料としては、本発明で使用する包接化合物によって包接されるものであれば特に限定されず、印刷インキの分野で用いられる各種染料を使用することができる。かかる染料の具体例としては、塩基性染料、酸性染料、直接染料、可溶性バット染料、酸性媒染染料、媒染染料、反応染料、バット染料、硫化染料等が挙げられ、これらのうち、水溶性のもの及び還元等により水溶性となるものが使用できる。より具体的には、アゾ染料、ローダミン染料、メチン染料、アゾメチン染料、キサンテン染料、キノン染料、トリフェニルメタン染料、ジフェニルメタン染料、メチレンブルー等が挙げられる。染料の色は、黒色だけでなく、黄、緑、紫、赤等の有彩色であってもよい。かかる染料は、単独で又は２種以上が組み合わされて使用できる。
【００１９】
水溶性染料の配合量は、インキ全量に対して０．１〜２０質量％が好ましく、０．５〜１５質量％がより好ましく、１〜１０質量％が特に好ましい。また、水溶性染料の配合量は、水相全量に対して５〜４０質量％が好ましく、１０〜３０質量％がより好ましい。水溶性染料の量が少なすぎると表印刷濃度が向上せず、多すぎると吐出性が悪くなる。
【００２０】
本発明において、包接化合物（クラスレート化合物とも呼ばれる）とは、包接分子の内部または分子集合体の内部に存在する空洞に、他のイオン、原子または分子をその構造中に取り込むことができる化合物を意味する。このうち、本発明では、水溶性の包接化合物を使用する。水溶性の包接化合物としては、例えば、シクロデキストリン類、水溶性カリックスアレーン、尿素が挙げられる。シクロデキストリン類としては、α−シクロデキストリン、β−シクロデキストリン及びγ−シクロデキストリンに代表されるシクロデキストリンや、これらシクロデキストリンの誘導体が挙げられる。これらのうち、シクロデキストリンが好ましく、彩度改善効果の点からγ−シクロデキストリンがより好ましい。染料分子の大きさが比較的小さい赤、黒又は黄色の水溶性染料とともにシクロデキストリン類を用いると、彩度の向上効果が高くなるので好ましい。
【００２１】
水溶性の包接化合物の配合量は、インキ全量に対して０．１〜１０質量％が好ましく、０．１５〜８質量％がより好ましく、０．２〜６質量％が特に好ましい。また、水溶性の包接化合物の配合量は、水相全量に対して０．１〜３０質量％が好ましく、０．５〜２５質量％がより好ましい。また、水溶性の包接化合物の水溶性染料に対する配合比は質量比で０．０２以上が好ましく、０．０３〜１がより好ましく、０．０３〜０．５がさらにより好ましい。水溶性の包接化合物の配合量を多くするとそれだけ印刷物の彩度が向上するが、多すぎると吐出性が悪くなる場合がある。
【００２２】
油相は、有機溶剤及び乳化剤から主として構成されるが、必要に応じて、その他の成分を含有してもよい。
【００２３】
有機溶剤としては、非極性溶剤及び極性溶剤の何れも使用できる。これらは、単独で使用してもよく、または、単一の相を形成する限り、２種以上組み合わせて使用できる。
【００２４】
非極性溶剤としては、ナフテン系、パラフィン系、イソパラフィン系等の石油系炭化水素溶剤を使用でき、具体的には、ドデカンなどの脂肪族飽和炭化水素類、エクソンモービル社製「アイソパー、エクソール」（いずれも商品名）、ＪＸ日鉱日石エネルギー社製「ＡＦソルベント」（商品名）、サン石油社製「サンセン、サンパー」（いずれも商品名）等が挙げられる。これらは、単独で、または、２種以上組み合わせて用いることができる。
【００２５】
極性溶剤としては、エステル系溶剤、アルコール系溶剤、脂肪酸系溶剤、エーテル系溶剤などが挙げられる。これらは、単独で、または、２種以上組み合わせて用いることができる。
【００２６】
エステル系溶剤としては、例えば、１分子中の炭素数が５以上、好ましくは９以上、より好ましくは１２乃至３２の高級脂肪酸エステル類が挙げられ、例えば、イソノナン酸イソデシル、イソノナン酸イソトリデシル、イソノナン酸イソノニル、ラウリル酸メチル、ラウリル酸イソプロピル、ミリスチン酸イソプロピル、パルミチン酸イソプロピル、パルミチン酸イソオクチル、パルミチン酸ヘキシル、パルミチン酸イソステアリル、イソパルミチン酸イソオクチル、オレイン酸メチル、オレイン酸エチル、オレイン酸イソプロピル、オレイン酸ブチル、オレイン酸ヘキシル、リノール酸メチル、リノール酸イソブチル、リノール酸エチル、ステアリン酸ブチル、ステアリン酸ヘキシル、ステアリン酸イソオクチル、イソステアリン酸イソプロピル、ピバリン酸２−オクチルドデシル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリルなどが挙げられる。
【００２７】
アルコール系溶剤としては、例えば、１分子中の炭素数が１２以上の脂肪族高級アルコール類が挙げられ、具体的には、イソミリスチルアルコール、イソパルミチルアルコール、イソステアリルアルコール、オレイルアルコールなどの高級アルコールが挙げられる。
【００２８】
脂肪酸系溶剤としては、例えば、１分子中の炭素数が４以上、好ましくは９乃至２２の脂肪酸類が挙げられ、イソノナン酸、イソミリスチン酸、ヘキサデカン酸、イソパルミチン酸、オレイン酸、イソステアリン酸などが挙げられる。
【００２９】
エーテル系溶剤としては、ジエチルグリコールモノブチルエーテル、エチレングリコールモノブチルエーテル、プロピレングリコールモノブチルエーテル、プロピレングリコールジブチルエーテルなどのグリコールエーテル類の他、グリコールエーテル類のアセタートなどが挙げられる。
【００３０】
乳化剤は、油中水（Ｗ／Ｏ）型エマルションインキを形成できるものであれば特に制限されるものではないが、非イオン性界面活性剤が好ましく用いられる。非イオン性界面活性剤として、例えばソルビタンモノラウレート、ソルビタンモノパルミテート、ソルビタンモノステアレート、ソルビタントリステアレート、ソルビタンモノオレエート、ソルビタンセスキオレエート等のソルビタン高級脂肪酸エステル、脂肪酸グリセリド、ポリグリセリン脂肪酸エステル、脂肪酸ジグリセリド、及び高級アルコール、アルキルフェノール、脂肪酸等の酸化エチレン付加物等を挙げることができる。
【００３１】
これらのうち、インクジェット用には、ポリグリセリン脂肪酸エステルが好ましく使用される。ここでいうポリグリセリン脂肪酸エステルとは、グリセリンの脱水縮合によって得られたポリグリセリンと脂肪酸又はオキシ脂肪酸とのエステル化物を言う。ポリグリセリン脂肪酸エステルにおいて、グリセリン縮合量は４〜２０モルであることが好ましく、６〜１６モルであることがより好ましく、４〜１２モルであることがさらにより好ましい。ポリグリセリン１分子当たりの脂肪酸又はオキシ脂肪酸の付加モル数は、１〜１０モルであることが好ましく、１〜３モルであることがより好ましい。高級脂肪酸又は高級オキシ脂肪酸としては、炭素数８〜２４のものが好ましい。脂肪酸としてはラウリン酸、ミリスチン酸、パルミチン酸、オレイン酸、リノール酸、ステアリン酸、イソステアリン酸等が挙げられ、このうち、オレイン酸、ステアリン酸及びイソステアリン酸が好ましい。オキシ脂肪酸としては、リシノレイン酸、オキシラウリン酸、オキシミリスチン酸、オキシパルミチン酸、オキシステアリン酸、オキシベヘン酸等が挙げられ、このうち、リシノレイン酸が好ましい。
【００３２】
好ましいポリグリセリン脂肪酸エステルの具体例としては、モノオレイン酸テトラグリセリル、モノオレイン酸ヘキサグリセリル、トリオレイン酸デカグリセリル、モノイソステアリン酸テトラグリセリル、モノイソステアリン酸ヘキサグリセリル、ジイソステアリン酸デカグリセリル、ポリリシノレイン酸ヘキサグリセリルなどが挙げられる。
【００３３】
本発明における乳化剤の使用量は、インキ全量に対し、固形分質量基準で、０．５〜４０質量％であることが好ましく、より好ましくは１〜３０質量％であり、さらに好ましくは２〜２０質量％である。この使用量が０．５質量％に満たない場合には、エマルションの保存安定性が低下する可能性がある。また、この使用量が４０質量％を超えた場合には、粘度が高くなり、インクジェット用途に適さなくなる可能性がある。また、乳化剤の使用量は、油相の量の３〜５０質量％であることが好ましく、５〜４０質量％であることがより好ましい。
【００３４】
油相は、例えばビーズミル等の公知の分散機に全成分を一括又は分割して投入して分散させ、所望により、メンブレンフィルター等の公知のろ過機を通すことにより調製できる。例えば、予め溶剤の一部とその他の成分の一部を均一に混合させた混合液を調製して分散機にて分散させた後、この分散液に残りの溶剤及び残りのその他の成分を添加してろ過機を通すことにより調製することができる。
【００３５】
本発明の油中水（Ｗ／Ｏ）型エマルションインキは、上記の油相と水相を混合、乳化させることにより製造できる。水相と油相は、予め別々に調製したのち、油相液中に水相液を添加して乳化させてもよく、または、水相に油相を構成する成分を一括または個別に添加した後、乳化させてもよい。製造には、ディスパーミキサー、ホモミキサー等の公知の乳化機を用いることができる。
【００３６】
本発明の油中水（Ｗ／Ｏ）型エマルションインキは、油相４０〜９９質量％、水相６０〜１質量％となるように配合される。水相の比率が６０質量％を越えると油中水（Ｗ／Ｏ）型エマルションが形成されにくくなる。水相の比率が１質量％未満の場合、印刷濃度が低くなったり、印刷物に裏抜けが発生する可能性がある。一般に、水相の比率が高くなると、インキ粘度が上昇する傾向があるため、両相の配合比率は、油相５０〜９８質量％及び水相５０〜２質量％が好ましく、油相５５〜９７質量％及び水相４５〜３質量％がより好ましく、油相７０〜９７質量％及び水相３０〜３質量％が更により好ましい。
【００３７】
このようにして得られる本発明の油中水（Ｗ／Ｏ）型エマルションインキの２３℃における粘度は、インクジェット用途として使用する場合、３〜１００ｍＰ・ｓの範囲に設定することが好ましく、５〜３０ｍＰａ・ｓの範囲に設定することがより好ましく、１０〜２０ｍＰａ・ｓの範囲に設定することが特に好ましい。インキの粘度は、油相の構成成分の種類及び量、水相の量を調節することによって調整できる。一般的には、水相の量及び／又は乳化剤の量が少ないほど、インキの粘度は低下するが、エマルションの保存安定性が低下する傾向がある。
【００３８】
本発明の油中水（Ｗ／Ｏ）型エマルションインキを用いて印刷する記録媒体は、特に限定されず、普通紙や塗工紙等の紙の他、インキを受容するように表面処理された又はインキ受容層が形成されたプラスチックホルダー、ＣＤ、ＤＶＤ等のプラスチック製品が挙げられる。また、本発明の油中水（Ｗ／Ｏ）型エマルションインキを用いてインクジェット印刷を行う場合、インクジェットプリンタは、デジタル信号に基づいてインクジェットのノズルからインキを記録媒体に向けて吐出させて文字、写真等の画像を再現するものであれば特に限定はされず、サーマル方式、ピエゾ方式、静電方式等いずれの方式のものであってもよい。
【実施例】
【００３９】
以下、本発明を実施例により詳細に説明するが、本発明はこの実施例に限定されるものではない。
【００４０】
実施例１〜１０、比較例１〜８
表１又は表２に示す配合量の乳化剤及び炭化水素系溶剤を混合し、油相を得た。また、表１又は表２に示す配合量のイオン交換水、染料及び添加剤又は包接化合物を混合し、水相を得た。高速ホモジナイザー「ビスコトロン」（商品名：マイクロテック・ニチオン社製）を用いて５０００ｒｐｍで上記油相を攪拌しながら、該油相に上記水相を滴下した後、２００００ｒｐｍで５分間攪拌して油中水（Ｗ／Ｏ）型エマルションインキを作製した。なお、表１及び表２中の各成分の配合量は質量部で示してある。
【００４１】
上記実施例及び比較例でそれぞれ得られたインクジェットインキについて、以下の方法により評価を行った。これらの評価結果を表１及び表２に示した。
【００４２】
（１）印刷物の濃度・彩度評価方法
ライン型インクジェットプリンタ「オルフィスＨＣ５５００」（商品名：理想科学工業（株）製）を用いて、普通紙「理想用紙ＩＪマット（Ｗ）Ａ４」（商品名：理想科学工業（株）製）に片面にベタ画像を印刷した時の表濃度及び彩度を測定した。
【００４３】
表濃度の測定はＯＤ計「ＲＤ９２０」（商品名：マクベス社製）を用いて行った。包接化合物を添加したインキ（実施例）の表濃度と、包接化合物を添加しないインキ（対照比較例）の表濃度との差を「濃度差：ΔＯＤ」として算出した。
【００４４】
彩度の評価は、色差計「ＴＣ−１８００ＭＫ−II」（商品名：東京電色技術センター製）を用いた測定した色差ΔＥに基づいて行った。なお、色差は、式ΔＥ＝√（ΔＬ＊２＋Δａ＊２＋Δｂ＊２）に従って算出した。ΔＬ＊、Δａ＊及びΔｂ＊は、それぞれ、包接化合物を添加したインキ（実施例）のＬ＊、ａ＊及びｂ＊と、包接化合物を添加しないインキ（対照比較例）のＬ＊、ａ＊及びｂ＊との差である。
【００４５】
（２）搬送性能評価方法
ライン型インクジェットプリンタ「オルフィスＨＣ５５００」（商品名：理想科学工業（株）製）を用いて、普通紙「理想用紙薄口Ａ４サイズ」（商品名：理想科学工業（株）製）の片面全面にベタ画像を印刷した後、該紙を直ちに同プリンタに通紙した際の挙動を下記基準で評価した。なお、１ドットあたりのインキ吐出量を３０ｐｌとした。
【００４６】
○：プリンタに通紙可能であり、排紙も良好。
×：プリンタ内で紙詰まりを起こし、通紙不可能。
【００４７】
【表１】
2013177483.tif 000002
【００４８】
【表２】
2013177483.tif 000003
【００４９】
尚、表１及び表２記載の原材料の詳細は、以下の通りである。
Ｄｅｃａｇｌｙｎ  ２−ＩＳＶ（商品名）：日光ケミカルズ社製ジイソステアリン酸デカグリセリル。
Ｈｅｘａｇｌｙｎ  ＰＲ−１５（商品名）：日光ケミカルズ社製ポリリシノレイン酸ヘキサグリセリル。
Ｄｅｃａｇｌｙｎ  ３−ＯＶ（商品名）：日光ケミカルズ社製トリオレイン酸デカグリセリル。
ＡＦソルベント６号（商品名）：ＪＸ日鉱日石エネルギー社製石油系炭化水素溶剤。
ＫＳＴ  Ｂｌａｃｋ  Ｊ−ＢＬ  Ｌｉｑｕｉｄ（商品名）：日本化薬社製水溶性黒色染料水溶液。
ＤＡＩＷＡ  ＲＭ４００Ｌ（商品名）：ダイワ化成株式会社製水溶性黒色染料水溶液。
ＫＳＴ  Ｙｅｌｌｏｗ  Ｊ−ＧＸ  Ｌｉｑｕｉｄ（商品名）：日本化薬社製水溶性黄色染料水溶液。
ソルスパース２７０００：日本ルーブリゾール社製アミン系界面活性剤ソルスパース２７０００（商品名）。
【００５０】
表２に示されるように、包接化合物も添加剤も含有しない比較例１、４及び５では印刷物の印刷濃度（ＯＤ）はそれぞれ０．７２、０．６０及び０．４８であった。また、添加剤としてアミノアルコールやアミン系分散剤を含有する比較例２及び３の場合、印刷物の印刷濃度（ＯＤ）は０．７４及び０．７５と向上するものの、色差（ΔＥ）は比較例１とほぼ変わらなかった。
【００５１】
これに対し、表１に示されるように、包接化合物を添加した実施例１では印刷物の印刷濃度（ＯＤ）は０．７４と向上し、かつ色差（ΔＥ）が３．１４であり、彩度の向上が見られた。また、実施例２から、包接化合物を染料に対して質量比で１／２５以上配合した場合は、色差（ΔＥ）が彩度の変化を目視で確認できる程度（ΔＥ≧１）まで向上し、実施例１、２及び４から、包接化合物を染料に対して質量比で１／１０以上配合した場合は、さらに濃度向上の効果も顕著に現れることがわかる。
【００５２】
また、実施例５及び６から、乳化剤を変えた場合でも、本発明による印刷濃度および彩度の向上効果が得られることがわかる。
また、実施例７及び８から、染料を変えた場合でも、本発明による印刷濃度および彩度の向上効果が得られることがわかる。
また、実施例９及び１０から、水溶性の包接化合物の種類を変えた場合でも、本発明による印刷濃度および彩度の向上効果が得られることがわかる。
【００５３】
一方、非水溶性の包接化合物を用いた比較例６では、包接化合物が水に溶解しないため、染料を包接できず、印刷濃度及び彩度の何れも向上しなかった。
また、比較例７及び８の結果から、水性インキの場合、水溶性の包接化合物を配合しても印刷濃度及び彩度の何れも向上せず、また、印刷用紙のカールが発生し、プリンタで印刷用紙の搬送性能の問題を生じさせることがわかる。
【産業上の利用可能性】
【００５４】
本発明の油中水（Ｗ／Ｏ）型エマルションインキは、印刷物の印刷濃度と彩度に優れているので、インクジェット印刷の分野、特に、ラインヘッド型インクジェット方式を採用したビジネスプリンタのインキとして利用できる。